(57)【要約】      （修正有）【課題】手を曲げたときに手袋の掌部分に生じる弛みを抑制し、手袋をしたままで対象物を握ったときのフィット感を向上させ、対象物を握り易くする手袋を提供する。【解決手段】手袋の掌側シート２０を第１及び第２の掌側シート片２１，２２で構成し、第１及び第２の掌側シート片の端部２１ａ，２２ａ同士が掌に対向する位置で重なり合うようにし、この重ね合わせ部分の縫合部２５が折り目となって掌側シートが掌側へ曲がるように構成する。また、縫合部を、掌側シートの幅方向全体に亘って形成し且つ各指の中手指節関節を掌側へ曲げたときに掌に表れる凹部に対向する領域に配置する。【選択図】図１
0003194391.tif 000002
【実用新案登録請求の範囲】
【請求項１】
着用者の掌側を覆う掌側シート（20）を備え、
前記掌側シート（20）は、各々の端部（21a,22a）同士が前記着用者の掌に対向する位置で前記掌側シート（20）の幅方向両側の親指側端縁（12）から小指側端縁（11）へ亘って重なり合う２つの掌側シート片（21,22）と、前記２つの掌側シート片（21,22）の重ね合わせ部分を縫い合わせる縫合部（25）とを有し、前記縫合部（25）が折り目となって前記掌側シート（20）が掌側へ曲がるように構成され、
前記掌側シート（20）の縫合部（25）は、前記掌側シート（20）の幅方向全体に亘って形成され且つ前記着用者の各指の中手指節関節（41）を掌側へ曲げたときに前記着用者の掌に表れる凹部（43）に対向する領域に配置されていることを特徴とする、手袋。
【請求項２】
前記掌側シート（20）の縫合部（25）は、前記掌側シート（20）の親指側端縁（12）から小指側端縁（11）へ向かって次第に着用者の手首側へ近づくように傾斜していることを特徴とする、請求項１に記載の手袋。
【請求項３】
前記２つの掌側シート片（21,22）のうち一方は、前記掌側シート片（22）の前記端部（22a）から着用者の手首側へ延び、
前記一方の掌側シート片（22）は、各々の端部（23a,24a）同士が着用者の掌の母指球（40）の外縁（44）に沿って重なりあう２つの掌側シート小片（23,24）と、前記２つの掌側シート小片（23,24）の重ね合わせ部分を縫い合わせた縫合部（26）とを有し、前記縫合部（26）が折り目となって前記一方の掌側シート片（22）が掌側へ曲がるように構成されていることを特徴とする、請求項１又は２に記載の手袋。
【考案の詳細な説明】
【技術分野】
【０００１】
本考案は、手袋を着用した手を曲げたときに生じる手袋の掌部分の弛みを抑制する対策に係るものである。
【０００２】
従来より、甲側シートと掌側シートとマチシートとを縫い合わせてなる手袋が知られている。そして、これらの手袋の中には、特許文献１に示すように、甲側シート及び掌側シートの４本指の間をやや開き気味に裁断し、且つマチシートを三日月状に形成することによって、手袋の４本指の部分を指の長さ方向に沿って緩やかに湾曲させたものがある。
【０００３】
人の指は力を抜いた時に緩やかに湾曲することから、この指の曲がり具合に合わせて手袋の指の部分を上述したように湾曲させることによって、手袋の指の部分を着用者の手の指にフィットさせるようにしている。
【先行技術文献】
【特許文献】
【０００４】
【特許文献１】特開２００６−２９１４００号公報
【考案の概要】
【考案が解決しようとする課題】
【０００５】
しかしながら、力を抜いた手は、指だけでなく掌も緩やかに湾曲する。上述した従来の手袋の場合、指の部分は緩やかに湾曲しているものの、手袋の掌部分に関して何らの考慮もなされていない。この掌部分が真っ直ぐの場合には、着用者が手を緩やかに曲げると、手袋の甲側の面が伸びて手袋の掌側の面が縮み、掌側の面に弛みが生じる。掌側の面が弛んだままで対象物を握ってしまうと、対象物を握ったときのフィット感が悪く、対象物を握りづらいという問題がある。
【０００６】
本考案は、かかる点に鑑みてなされたものであり、その目的は、手を曲げたときに手袋の掌部分に生じる弛みを抑制し、手袋をしたままで対象物を握ったときのフィット感を向上させ、対象物を握り易くすることにある。
【課題を解決するための手段】
【０００７】
本考案は、手袋を前提とする。この手袋は、着用者の掌側を覆う掌側シート（20）を備え、前記掌側シート（20）は、各々の端部（21a,22a）同士が前記着用者の掌に対向する位置で前記掌側シート（20）の幅方向両側の親指側端縁（12）から小指側端縁（11）へ亘って重なり合う２つの掌側シート片（21,22）と、前記２つの掌側シート片（21,22）の重ね合わせ部分を縫い合わせる縫合部（25）とを有し、前記縫合部（25）が折り目となって前記掌側シート（20）が掌側へ曲がるように構成され、前記掌側シート（20）の縫合部（25）は、前記掌側シート（20）の幅方向全体に亘って形成され且つ前記着用者の各指の中手指節関節（41）を掌側へ曲げたときに前記着用者の掌に表れる凹部（43）に対向する領域に配置されている。
【０００８】
また、前記掌側シート片の縫合部（25）は、前記掌側シート（20）の親指側端縁（12）から小指側端縁（11）へ向かって次第に着用者の手首側へ近づくように傾斜させてもよい。
【０００９】
また、前記２つの掌側シート片（21,22）のうち一方は、前記掌側シート片（22）の前記端部（22a）から着用者の手首側へ延び、前記一方の掌側シート片（22）は、各々の端部（23a,24a）同士が着用者の掌の母指球（40）の外縁（44）に沿って重なりあう２つの掌側シート小片（23,24）と、前記２つの掌側シート小片（23,24）の重ね合わせ部分を縫い合わせた縫合部（26）とを有し、前記縫合部（26）が折り目となって前記一方の掌側シート片（22）が掌側へ曲がるように構成されてもよい。
【考案の効果】
【００１０】
本考案によれば、掌側シートの縫合部が折り目となって掌側シートを曲げるようにしたので、掌部分が真っ直ぐに伸びた従来の手袋とは違い、手袋を着用者の掌にフィットさせることができる。掌側シートが折り目に沿って曲がるので、手を曲げたときに手袋の掌部分に生じる弛みを抑制することができる。
【００１１】
また、掌側シートの折り目を前記着用者の掌に表れる凹部に対向する位置に配置するようにしたので、前記着用者の掌の曲がり具合と掌側シートの曲がり具合とが一致するようになり、手袋の掌部分に生じる弛みをさらに抑制することができる。これにより、手袋をしたままで対象物を握ったときのフィット感が向上し、対象物が握り易くなる。
【図面の簡単な説明】
【００１２】
【図１】図１は、一実施形態に係る手袋の正面図である。
【図２】図２は、一実施形態に係る手袋の右側面図である。
【図３】図３は、一実施形態に係る手袋の斜視図である。
【図４】図４は、着用者の掌の凹部を示す図である。
【図５】図５は、一実施形態に係る手袋の背面図である。
【考案を実施するための形態】
【００１３】
本考案の一実施形態に係る手袋（10）を図面に基づいて詳細に説明する。尚、以下に説明する一実施形態は例示であり、本考案が一実施形態に限定されるものではない。
【００１４】
この手袋（10）は、掌側シート（20）と甲側シート（30）とマチシート（31）と手首側シート（32）とを縫い合わせてなるものである。掌側シート（20）は着用者の手の掌側を覆うものである。甲側シート（30）は着用者の手の甲側を覆うものである。マチシート（31）は手袋（10）の親指部分を除く４本指部分の両側面を覆うものである。手首側シート（32）は着用者の手首を全周に亘って覆うものである。
【００１５】
（掌側シート）
掌側シート（20）は、図１に示すように、第１及び第２の掌側シート片（21,22）を縫い合わせることにより形成されている。第１の掌側シート片（21）は、人差指、中指、薬指及び小指の各指の指先から掌の上部付近までを覆う。第２の掌側シート片（22）は、親指側及び小指側の掌側シート小片（23,24）を縫い合わせることにより形成されている。第２の掌側シート片（22）は、掌の上部付近から掌の手首側外縁（47）（図４を参照）までを覆う。また、第２の掌側シート片（22）のうち、掌の母指球（40）の外縁（44）（図４を参照）を境にして手袋（10）の幅方向親指側を親指側の掌側シート小片（23）が覆い、手袋（10）の幅方向小指側を小指側の掌側シート小片（24）が覆う。
【００１６】
（掌側シートの上側の縫合部）
第１及び第２の掌側シート片（21,22）は、各々の端部（21a,22a）端辺が掌側シート（20）の親指側端縁（12）から小指側端縁（11）へ向かって次第に着用者の手首側へ近づくように傾斜している。そして、第１及び第２の掌側シート片（21,22）は、各々の端部（21a,22a）同士が前記着用者の掌に対向する位置で前記掌側シート（20）の幅方向全体に亘って重なっている。そして、この重なり部分が縫い合されている。この縫合部分が、掌側シート（20）の縫合部（25）（以下、上側縫合部（25）とも言う。）である。上側縫合部（25）は、両方の掌側シート片（21,22）と同様に、掌側シート（20）の親指側端縁（12）から小指側端縁（11）へ向かって次第に着用者の手首側へ近づくように傾斜している。尚、上側縫合部（25）の縫目（15）は、上述した重なり部分に沿って重なり部分の中央に形成されている。
【００１７】
この手袋（10）は、図２に示すように、掌側シート（20）の長さ（Ｌ１）を甲側シート（30）の長さ（Ｌ２）よりも短く、且つマチシート（31）を手袋（10）の長さ方向に沿って三日月状に形成し、マチシート（31）の内側縁に掌側シート（20）が縫い合わされ、マチシート（31）の外側縁に甲側シート（30）が縫い合わされることにより、手袋（10）が掌側へ緩やかに湾曲するように構成されている。
【００１８】
一実施形態では、上述した両方の掌側シート片（21,22）の端部（21a,22a）同士の重なり部分の寸法（図１のＬ３）を調整することにより、手袋（10）の曲がり具合が調整される。この重なり部分の寸法（Ｌ３）を短く設定すればするほど、掌側シート（20）の長さ（Ｌ１）が長くなって、掌側シート（20）の曲がり具合が小さくなるとともに手袋（10）の曲がり具合が小さくなる。一方、重なり部分の寸法（Ｌ３）を長く設定すればするほど、掌側シート（20）の長さ（Ｌ１）が短くなって、掌側シート（20）の曲がり具合が大きくなるとともに手袋（10）の曲がり具合も大きくなる。例えば、重なり部分の寸法（Ｌ３）を調整して、手袋（10）の曲がり具合を、力を抜いたときの手の緩やかな湾曲具合に近づけることができる。
【００１９】
尚、一実施形態では、重なり部分の寸法（Ｌ３）は、掌側シート（20）の幅方向に沿って略同じであったが、これに限定されず、掌側シート（20）の幅方向に沿って同じである必要はない。
【００２０】
一実施形態では、第２の掌側シート片（22）の端部（22a）の厚さ方向掌側に第１の掌側シート片（21）の端部（21a）が重ねられている。つまり、第２の掌側シート片（22）の端部（22a）が、第１の掌側シート片（21）の端部（21a）の後側に隠れている（図１の上側の一点鎖線は、第２の掌側シート片（22）の端部（22a）を示す。）。尚、この形態に限定されず、第１の掌側シート片（21）の端部（21a）が第２の掌側シート片（22）の端部（22a）の後側に隠れるように重ね合わせた状態で縫い合わせるようにしてもよい。
【００２１】
この上側縫合部（25）が掌側シート（20）の折り目となって、図３に示すように、湾曲した掌側シート（20）を更に湾曲させることができる。
【００２２】
ここで、図４に示すように、手を曲げたとき、つまり５本指の中手指節関節（41）を掌側へ曲げたときに、着用者の掌には、母指球（40）の外縁（44）に沿う皺と、４本指の付け根側に位置する皺（45）とに挟まれた凹部（43）が表れる。一実施形態では、手袋（10）をした着用者が手を曲げたとき、上述した凹部（43）に対向するように上側縫合部（25）が配置されている。
【００２３】
このように、掌側シート（20）の折り目となる上側縫合部（25）を着用者の掌の凹部（43）に対向する領域に配置するようにしたので、掌側シート（20）の曲がり具合を、手を曲げたときの掌の曲がり具合に近づけることができる。これにより、手を曲げたときに手袋（10）の掌部分に生じる弛みを抑制することができ、対象物を握ったときのフィット感を向上させることができるので、手袋（10）をしたままでも対象物を容易に握ることが可能となる。
【００２４】
また、着用者の５本指の中手指節関節（41）を掌側へ曲げたときに、着用者の掌が最も屈曲する屈曲線（図４の破線Ａ）に沿って上側縫合部（25）を配置するのが好ましい。こうにすれば、掌側シート（20）と着用者の掌との曲がり具合をさらに近づけることができ、手を曲げたときに手袋（10）の掌部分に生じる弛みをさらに抑制することができる。
【００２５】
（掌側シートの下側の縫合部）
親指側及び小指側の掌側シート小片（23,24）は、各々の端部（23a,24a）が略同じ形状である。両方の端部（23a,24a）の端辺は、掌の母指球（40）の外縁（44）に沿うように重なり合っている。この重なり部分が縫い合されている。この縫合部分が、掌側シート片（22）の縫合部（26）（以下、下側縫合部（26）とも言う。）である。下側縫合部（26）の縫目（16）は、重なり部分の中央に形成されている。
【００２６】
一実施形態では、小指側の掌側シート小片（24）の端部（24a）の厚さ方向掌側に親指側の掌側シート小片（23）の端部（23a）が重ねられている（図１の下側の一点鎖線は、小指側の掌側シート小片（24）の端部（24a）を示す。）。尚、この形態に限定されず、親指側の掌側シート小片（23）の端部の厚さ方向掌側に小指側の掌側シート小片（24）の端部が重ねられていてもよい。
【００２７】
下側縫合部（26）が第２の掌側シート片（22）の折り目となって、第２の掌側シート片（22）を湾曲させることができる。これにより、手を曲げたときに手袋（10）の掌部分に生じる弛みを抑制することができ、対象物を握ったときのフィット感を向上させることができるので、手袋（10）をしたままでも対象物を容易に握ることが可能となる。
【００２８】
（甲側シート）
甲側シート（30）は、図５に示すように、甲側シート（30）の幅方向小指側から親指側へ並んだ第１から第３の甲側シート片（31〜33）を縫い合わせることにより形成されている。第１の甲側シート片（31）は、親指の指先から親指の付け根までを覆う。第２の甲側シート片（32）は、人差指、中指及び薬指の各指先から掌の手首側の外縁までを覆う。第３の甲側シート片（33）は、小指の指先から掌の手首側の外縁までを覆う。
【００２９】
第３の甲側シート片（33）はメッシュ生地で形成されている。これにより，手袋（10）内部の通気性を良好に保つことができる。第２の甲側シート片（32）には、人差指、中指及び薬指の各指の中手指節関節（41）に対応する領域に保護シート（34）が重ね縫いされている。
【産業上の利用可能性】
【００３０】
以上、説明したように、本考案は、手を曲げたときに生じる手袋の掌部分の弛みを抑制する対策について有用である。
【符号の説明】
【００３１】
１０    手袋
２０    掌側シート
２１    第１の掌側シート片
２２    第２の掌側シート片
２３    親指側の掌側シート小片
２４    小指側の掌側シート小片
２５    上側縫合部
２６    下側縫合部
３０    甲側シート
３１    マチシート
【図１】
0003194391.tif 000003
【図２】
0003194391.tif 000004
【図３】
0003194391.tif 000005
【図４】
0003194391.tif 000006
【図５】
0003194391.tif 000007